(57)【要約】  本発明の実施形態は、治療剤又は他の薬剤のプラグを供給するための複針式カテーテルベースの注射システムに関する。医療装置は、遠位端と、近位端と、遠位端と近位端との間に延びるカテーテル管腔とを有するカテーテルと、遠位端と、近位端と、遠位端と近位端との間に延びる外側針管腔とを有するカテーテル管腔内に配置された外側針とを含む。本医療装置は、遠位端と近位端とを有し外側針管腔内に配置される内側針であって、該内側針の遠位端は治療プラグを受容しかつ保持する内側針と、外側針及び内側針の近位端に結合された針制御機構であって、治療プラグを標的組織部位内に送達するために外側針及び内側針の排出及び引き込みを独立及び合同制御する針制御機構とを備える。
2008528176.tif 000002
【特許請求の範囲】
【請求項１】
医療装置であって、
遠位端と、近位端と、前記遠位端と前記近位端との間に延びるカテーテル管腔とを有するカテーテルと、
遠位端と、近位端と、前記遠位端と前記近位端との間に延びる外側針管腔とを有する外側針であって、前記カテーテル管腔内に配置される外側針と、
遠位端と近位端とを有し前記外側針管腔内に配置される内側針であって、該内側針の前記遠位端が治療プラグを受容しかつ保持する内側針と、
前記外側針及び前記内側針の前記近位端に結合された針制御機構であって、前記治療プラグを標的組織部位内に送達するために前記外側針及び前記内側針の独立の排出及び引き込み並びに合同の排出及び引き込みを制御する針制御機構と、を備える医療装置。
【請求項２】
前記針制御機構がアクチュエータを備える請求項１に記載の医療装置であって、
前記アクチュエータは、該アクチュエータの第１の作動時に前記カテーテルの前記遠位端を越えて前記外側針及び前記内側針の前記遠位端を排出し、該アクチュエータの第２の作動時に前記外側針の前記遠位端を前記カテーテルの前記遠位端内に引き込み、及び該アクチュエータの第３の作動時に前記内側針の前記遠位端を前記カテーテルの前記遠位端内に引き込む、医療装置。
【請求項３】
前記アクチュエータがボタンを備える、請求項２に記載の医療装置。
【請求項４】
前記針制御機構が、
前記外側針及び前記内側針の排出及び引き込みを同時に制御する第１のアクチュエータと、
前記外側針の排出及び引き込みを制御する第２のアクチュエータと、
前記内側針の排出及び引き込みを制御する第３のアクチュエータと、を備える請求項１に記載の医療装置。
【請求項５】
前記第１、第２及び第３のアクチュエータの各々がボタンを備える、請求項４に記載の医療装置。
【請求項６】
前記外側針が、内面及び外面を有するほぼ一定の円筒の直径を有する壁部と、前記外側針の前記遠位端における針先端とを備える、請求項５に記載の医療装置。
【請求項７】
前記針先端が、前記外側針管腔に対する開口部を形成する非対称テーパ部分を有する、請求項６に記載の医療装置。
【請求項８】
前記内側針が、前記遠位端で治療薬を送達するために、前記遠位端と前記近位端との間に延びる内側針管腔を有する、請求項４に記載の医療装置。
【請求項９】
前記内側針が、体温で収縮する形状記憶材料を具備する、請求項４に記載の医療装置。
【請求項１０】
前記治療プラグが、前記標的組織部位内に注射されると膨張する、請求項９に記載の医療装置。
【請求項１１】
医療装置であって、
遠位端と、近位端と、前記遠位端と前記近位端との間に延びるカテーテル管腔とを有するカテーテルと、
遠位端と、近位端と、前記遠位端と前記近位端との間に延びる外側針管腔とを有する外側針であって、前記カテーテル管腔内に配置される外側針と、
遠位端と近位端とを有し前記外側針管腔内に配置される内側針であって、該内側針の前記遠位端は治療プラグを受容しかつ保持する、内側針と、
前記外側針及び前記内側針の前記近位端に結合された針制御機構であって、前記治療プラグを標的組織部位内に送達するために前記外側針及び前記内側針の独立の排出及び引き込み並びに合同の排出及び引き込みを制御する針制御機構と、
前記内側針の前記遠位端と軸方向に整列されかつ前記内側針の前記遠位端の周りに及び近くに滑動可能に位置決めされた開口部を有するディスクと、を備える医療装置。
【請求項１２】
前記針制御機構がアクチュエータを備える請求項１１に記載の医療装置であって、
前記アクチュエータは、該アクチュエータの第１の作動時に前記カテーテルの前記遠位端を越えて前記外側針及び前記内側針の前記遠位端を排出し、該アクチュエータの第２の作動時に前記外側針の前記遠位端を前記カテーテルの前記遠位端内に引き込み、及び該アクチュエータの第３の作動時に前記内側針の前記遠位端を前記カテーテルの前記遠位端内に引き込む、医療装置。
【請求項１３】
前記針制御機構が、
前記外側針及び前記内側針の排出及び引き込みを同時に制御する第１のアクチュエータと、
前記外側針の排出及び引き込みを制御する第２のアクチュエータと、
前記内側針の排出及び引き込みを制御する第３のアクチュエータと、を備える請求項１１に記載の医療装置。
【請求項１４】
前記外側針が、ほぼ一定の円筒の内径を形成する内面及び外面を有する壁部と、該外側針の前記遠位端における針先端と、を備える請求項１１に記載の医療装置。
【請求項１５】
前記針先端が、該針先端の遠位端において前記外側針管腔に対する針先端内側開口部を形成するほぼ対称的テーパ部分を有し、前記針先端内側開口部が、前記外側針の前記ほぼ一定の円筒の内径よりも小さな直径を有する、請求項１４に記載の医療装置。
【請求項１６】
前記外側針の前記ほぼ一定の円筒の直径が前記ディスクの外径よりも大きい、請求項１５に記載の医療装置。
【請求項１７】
前記ディスクの前記外径が、前記ディスクからの前記内側針の引き込みを可能にするために、前記針先端内側開口部の前記直径にぴったり嵌合する、請求項１６に記載の医療装置。
【請求項１８】
前記ディスクの前記外径が前記針先端内側開口部の前記直径において圧縮される、請求項１７に記載の医療装置。
【請求項１９】
前記内側針が、前記遠位端で治療薬を送達するために、前記遠位端と前記近位端との間に延びる内側針管腔を有する、請求項１４に記載の医療装置。
【請求項２０】
前記治療剤が、治療薬及び細胞治療薬の一方を含む、請求項１９に記載の医療装置。
【請求項２１】
前記治療剤が、前記標的組織部位内の前記プラグを固化するために、架橋剤及び２成分系の第２の成分の一方を含む、請求項１９に記載の医療装置。
【請求項２２】
前記内側針が、体温で前記プラグから収縮する形状記憶材料を具備する、請求項１４に記載の医療装置。
【請求項２３】
前記治療プラグが、前記標的組織部位内に保持されるべく、前記標的組織部位内に注射されると膨張する、請求項１４に記載の医療装置。
【発明の詳細な説明】
【技術分野】
【０００１】
本発明の実施形態は、患者の身体内の標的部位で治療剤及び他の薬剤を注射するためのカテーテル及び方法に関する。より詳しくは、前記実施形態は、治療剤又は他の薬剤のプラグを供給するための複数の針を有するカテーテルベースの注射システムに関する。
【背景技術】
【０００２】
医療カテーテルは、数え切れない程の低侵襲性医療処置のために使用されている。カテーテル、具体的には注射カテーテルは、例えば治療薬の所定投与量を標的組織に送達するために、及び／又は管補強ステント又は薬物溶出ステントのような医療装置を送達するために使用される。同様に、カテーテルは、医療器具を標的部位に案内して、組織切除、閉塞性沈着の除去又は心筋血管再生のような外科手術を実行するために使用される。
【０００３】
現在、注射カテーテルベースのシステムは、センサを有する又はセンサなしのカテーテルを含む。センサなしの注射カテーテルは、カテーテルの遠位端に開口部を有し、該開口部を通して針又は医療装置が患者の標的組織部位内に入ることを可能にする。センサ（例えば、電極）が装備された注射カテーテルは、針又は医療装置が開口部を通して、患者の標的組織部位内に入ることを可能にするための開口部を有するカテーテルの遠位端に、センサチップを有する。通常、センサシステムは、カテーテルの周りの円周方向にバンドとして設けられた１つ以上の追加のリターンセンサを有する。いくつかのシステムでは、組織接触は、組織と接触しているときの先端センサと、組織と接触していないが、流体、例えば、組織を囲んでいる血液のみと接触しているリターンセンサとの間のインピーダンスを測定することによって決定される。しかしこの決定は、電極が組織と接触しているとき及び体液（例えば、血液）のみと接触しているときの既知の、すなわち予め決定されたインピーダンス値に基づいている。
【０００４】
同様に、注射カテーテルに使用される針は、現在、装置を注射部位の組織の上方に位置決めし、針をカテーテルから組織内に押し出し、治療薬を組織内に送達し、また針を引っ込めることによって働く。しかしこのことは、通常、針が引き抜かれるときに組織からの治療薬の一部の損失をもたらし、注射された治療薬の有効性を減じるのみならず、患者内の望ましくない位置に移動する道に迷った治療薬のために不利な副作用も引き起こす可能性がある。心臓壁及び冠状動脈への治療剤の局所的送達が、心臓病を治療する点で有望であった。これらの作用物質は、遺伝子治療、薬物、タンパク質、細胞外基質、及び細胞を含む。局所送達は、治療薬の全身的送達に関連する潜在的な副作用のため及び患部に送達された濃縮投与の治療効果のため重要である。残念ながら、現在の注射カテーテルは、治療薬の最適な標的送達が最も有効な治療方式を提供することを可能にしないが、この理由は治療薬が送達される組織が、注射された治療薬の全てを常に保持するとは限らないからである。
【発明の開示】
【発明が解決しようとする課題】
【０００５】
本発明は、センサを有する又はセンサなしの改良された複針式注射カテーテルシステム、及び前記カテーテルシステムを使って治療薬を送達するための関連する方法に関する。ある実施形態において、患者の身体内の標的部位に治療プラグを注射するための装置及び方法が提供される。他の実施形態において、患者の身体内の標的部位に標的プラグ及び他の流体を注射するための装置及び方法が提供される。本装置は、遠位端と、近位端と、これらの遠位端と近位端との間に延びるカテーテル管腔とを有するカテーテルと、遠位端と、近位端と、これらの遠位端と近位端との間に延びる外側針管腔とを有する外側針であって、前記外側管がカテーテル管腔内に配置される外側針とを含む。本装置はまた、遠位端と近位端とを有し外側針管腔内に配置される内側針も含み、該内側針の遠位端は治療プラグを受容しかつ保持する。更に本装置は、外側針及び内側針の近位端に結合された針制御機構であって、治療プラグを標的組織部位内に送達するために、外側針及び内側針の独立及び合同の排出及び引き込みを制御する針制御機構を含む。
【０００６】
本発明の他の様相は、添付の特許請求の範囲に記載される。
【０００７】
本発明の前述および他の特徴および利点は、添付図を参照して、好適な実施形態の次の詳細な説明からより明白になるであろう。この場合、同様の数字は同様の要素を示すために使用される。
【発明を実施するための最良の形態】
【０００８】
本発明のいくつかの実施形態は、例えばマサチューセッツのボストンサイエンティフィックオブナティック（Boston Scientific of Natick）によって製造された電極センサチップを有する又は有さないスチレット（Stiletto）カテーテルと同様の針ベースの直接注射装置を含む。いくつかの実施形態では、センサチップは、絶縁体によって分離された少なくとも２つの電極であって、該電極と接触している組織内の電気信号の監視を可能にするために、監視装置、例えば心電図（ＥＫＧ）、に接続された少なくとも２つの電極を含んでもよい。例えば、センサチップが特定の部位（例えば、心臓の肺静脈、左心室及び房室結節）に配置された場合、センサチップは、組織によって発生される識別可能な電気パターンを読み取ることができる。したがってセンサチップは、特定の組織位置に関連付けられて知られている特有の電気パターンの位置を突き止めて、治療薬の注射のための位置を標的にするために使用される。
【０００９】
心臓の肺静脈、左心室及び房室結節内へのある種の治療剤、例えばある種の遺伝物質の注射は、不整脈及び心室不整頻拍のようなある種の不整脈に優れた治療を提供できると信じられる。残念ながら、現在の治療法、例えば、経口薬物及び高周波切除及び埋込型装置は所望の有効性を欠き望ましくない副作用を有する。幸いなことに、治療薬、例えば、遺伝子治療剤の標的組織内への直接注射は、相当改良された効果をより小さな副作用で提供する。
【００１０】
図１は、本発明の実施形態によるカテーテルの遠位端の部分側面断面図である。図１では、複針式カテーテルシステム１００は、カテーテル１１０と、カテーテル１１０内に配置された外側針１２０と、外側針１２０内に配置された内側針１３０と、内側針１３０の遠位端１３２に取り付けられかつ遠位端１３２をほぼ覆うプラグ１４０とを含む。カテーテル１１０は、カテーテル近位端１１１及びカテーテル遠位端１１２と、カテーテル近位端１１１とカテーテル遠位端１１２との間に延びる管腔（図示せず）とを有し、この管腔を通して外側針１２０、内側針１３０及びプラグ１４０が移動できる。外側針１２０は、外側針近位端１２１及び外側針遠位端１２２と、外側針近位端１２１と外側針遠位端１２２との間に延在する外側針管腔（図示せず）とを有し、この管腔を通して内側針１３０及びプラグ１４０が移動できる。外側針１２０はまた、標的組織部位を穿刺して、標的組織部位内への内側針１３０及びプラグ１４０の注射を可能にするための先の尖った先端１２４を有する。同様に、内側針１３０はまた、内側針近位端１３１と内側針遠位端１３２とを有し、この場合、内側針遠位端１３２を丸くする及び／又は鈍角にして、内側針１３０がプラグ１４０から標的組織部位内に突き出て、もしかして患者を傷つけること及び／又は標的組織部位におけるプラグ１４０の残置を困難にすることを防止できる。内側針１３０はまた、形状記憶材料、例えば体温にさらされると収縮するニチノール、カプロラクトンのブロックコポリマのようなポリマ、及びジオキサノンを含んでもよい。形状記憶材料の収縮の結果、内側針１３０はプラグ１４０から分離し、その結果内側針１３０の取り除きをより容易にする。
【００１１】
一般に、図１では、外側針１２０の外側針管腔の直径は、内側針１３０の外径よりも相当大きく、プラグ１４０が内側針１３０の遠位端１３２を覆っている場合、内側針１３０及びプラグ１４０が外側針１２０の内側管を通って共に移動することを可能にする。外側針１２０の外側針管腔とプラグ１４０の外面１４２との間の距離は、寸法及び粘着性の異なるプラグ１４０を受け入れるために変更する必要があるかもしれない。この結果、内側針１３０は容易に外側針１２０内に挿入されてそれから取り除かれ、これはカテーテル１１０が患者の身体に挿入された後に内側針１３０が外側針１２０に挿入されることを可能にする。実際に、内側針１３０は、外側針１２０が標的組織部位内に排出された後に外側針１２０に挿入され、次いでプラグを標的組織部位に送達した後に外側針１２０から取り除かれる。これは、カテーテル１１０を取り除く必要なしに新しい内側針１３０に付着した追加プラグ１４０を標的組織部位内に導入する、患者の身体内におけるカテーテル１１０の再配置を可能にする。
【００１２】
図１では、プラグ１４０は、組織内に注射されると活性化して、組織に対して膨張及び／又は拡張するロウ・プロファイルを有している。プラグ１４０の膨張及び／又は拡張は、内側針１３０が外側針１２０内に引き込み戻される間に、プラグ１４０を組織内に保持することを助ける。代わりに、プラグ１４０は、内側針１３０がプラグ１４０から外側針１２０内に引き込み戻されるとき、プラグ１４０が組織内に留まることができるように、内側針１３０に対してよりも組織に対してより高い親和性を有してもよい。
【００１３】
本発明の他の実施形態によれば、図１のカテーテル１１０は、複数のプラグの送達を可能にするため、内側針１３０が結び付けられた複数の外側針１２０を含んでいてもよい。複数のプラグは、使用される適用可能な治療処方に従って医者によって決定されたとき、ほぼ同時に又は連続して送達される。
【００１４】
本発明の他の実施形態によれば、図１の内側針１３０はまた、内側針近位端と内側針遠位端１３２との間に延びる内側針管腔（図示せず）にして流体が通過移動可能な内側針管腔と、流体を排出するために内側針遠位端１３２に形成された内側針開口部（図示せず）とを有することが可能である。例えば、流体は、治療薬、細胞治療薬、架橋剤、プラグが２成分系の第１の成分を含む場合に生体内で固体プラグを創出するための２成分系の第２の成分、遺伝子治療薬、薬物、タンパク質、及び細胞外基質を含んでもよい。一般に、内側針遠位端１３２は、内側針１３０がプラグ１４０を通して標的組織部位内に突き出て、もしかして患者を傷つけ、また標的組織部位におけるプラグ１４０の残置を困難にすることを防止するために、丸くなった端部を含んでいる。
【００１５】
図２は、本発明の実施形態による、平面Ａで示される図１のカテーテルの遠位端の拡大側面縦断面図である。図２では、内側針１３０は内面２３５を含み、前記内面２３５は、内側針１３０が中実である場合は平坦であり、あるいは内側針１３０が内側針管腔を有する場合は凹状である。更に、内側針１３０が内側針管腔を有する場合、内側針管腔の遠位端は、内側針１３０の近位端に形成された近位開口部と流体連通する遠位開口部を形成することが可能である。遠位開口部は、例えば治療薬、薬物等の流体のプラグ１４０内への注入を、組織内へのプラグ１４０の移植注射の前又は後に可能にする。外側針１２０は、内側針１３０及びプラグ１４０の外側針近位端１２１の開口部内への導入、及び外側針管腔２１３を通した移動、及び外側針遠位端１２２の開口部からの排出、及び逆の道筋に沿った内側針１３０の引き抜き／引っ込めを可能にするために、外側針遠位端１２２から外側針近位端１２１に延びる外側針管腔２１３を含む。
【００１６】
図３は、本発明の実施形態による複針式注射カテーテル用のアクチュエータのブロック図である。図２では、アクチュエータ３００は、複数のボタン、例えば、両針アクチュエータボタン３１０、外側針アクチュエータボタン３２０及び内側針アクチュエータボタン３３０を含んでいる。両針アクチュエータボタン３１０は、ほぼ同時に外側針１２０及び内側針１３０の両方を排出しまた引っ込めるために使用される。一般に、両針アクチュエータボタン３１０は、両針アクチュエータボタン３１０が作動されたとき、両方の針１２０、１３０の位置の反対方向に両方の針を移動させるように作動する。例えば、外側針１２０及び内側針１３０の両方がカテーテル１１０内に引っ込められている場合、両針アクチュエータボタン３１０を作動させる（すなわち、押す）ことにより、両方の針１２０、１３０はカテーテル遠位端１１２から規定の距離だけ排出させられる。外側針１２０及び内側針１３０の両方が、カテーテル遠位端１１２を越えて外に延ばされているときに、両針アクチュエータボタン３１０を作動させることにより、両方の針１２０、１３０はカテーテル１１０内に引き戻される。代替実施形態において、外側針１２０及び内側針１３０の両方がカテーテル遠位端１１２の内部に引っ込められているとき、両針アクチュエータボタン３１０を最初に作動させることにより、カテーテル１１０内に内側針を引っ込めたままにしつつ、外側針１２０はカテーテル遠位端１１２を越えて排出させられる。外側針１２０のみがカテーテル遠位端１１２を越えて外に延ばされているとき、両針アクチュエータボタン３１０を２回目に作動させることにより、外側針１２０と共に内側針１３０がカテーテル遠位端１１２を越えて排出させられる。外側針１２０及び内側針１３０の両方がカテーテル遠位端１１２を越えて外に延ばされているとき、両針アクチュエータボタン３１０を３回目に作動させることにより、内側針を延ばしたままにしつつ、外側針１２０がカテーテル１１０内に引き戻される。内側針１３０のみがカテーテル遠位端１１２を越えて外に延ばされているとき、両針アクチュエータボタン３１０を４回目に作動させることにより、内側針１３がカテーテル１１０内に引き戻される。この実施形態は、必要な全ての針移動を実施するために単一のアクチュエータボタンを必要とするだけなので、本実施形態の実施は容易かつ廉価であるかもしれないが、本実施形態は理想的な解決方法ではないかもしれない。このことが当てはまる理由は、針移動の順序が固定されかつ医師によって変更されることができず、このことは、針１２０、１３０が所望の位置にないと判定して、プラグ１４０を組織に残さないで両方の針１２０、１３０を医師が引っ込めることを妨げると思われるからである。
【００１７】
図３のアクチュエータ３００の一実施形態では、規定の距離は、両針アクチュエータボタン３１０の投入長さによって制御され、前記投入長さは、アクチュエータ３００の製造中にプリセットされるか、あるいは関連技術で公知のように、カテーテル近位端１１１に配置された針深度制御機構（図示せず）を使用して調整可能である。針深度制御機構は、一般に、カテーテル遠位端１１２から排出され／その中に引っ込められる外側針１２０の長さを制御するために、カテーテル１１０又はアクチュエータ３００に取り付けられ、この機構は、両方の針１２０、１３０が共に排出されるとき、排出され／引っ込められる内側針１３０の長さを制御することもできる。針深度制御機構はまた、外側針１２０及び内側針１３０の両方の排出／引き込み距離を独立して制御することができる。この機能は、内側針１３０と無関係にカテーテル１１０から排出されまたその中に引っ込められる外側針１２０の距離を外側針アクチュエータボタン３２０が制御することを可能にするために必要とされる。同様に、この機能は、外側針１２０と無関係にカテーテル１１０から排出されまたその中に引っ込められる内側針１３０の距離を内側針アクチュエータボタン３３０が制御することを可能にするために必要とされる。
【００１８】
本発明の他の実施形態によれば、単一のアクチュエータボタンの単一の作動により、針１２０、１３０の移動の全てを実行して標的組織にプラグ１４０を注射するために、単一のアクチュエータボタン、例えば、両針アクチュエータボタン３１０が実装されてもよい。具体的には、単一のアクチュエータボタンを作動することにより、両方の針１２０、１３０はカテーテル遠位端１１２を越えて、標的組織部位内にほぼ同時に排出させられる。両方の針１２０、１３０がカテーテル遠位端１１２を越えて完全に外に排出された後、外側針１２０はカテーテル１１０内に自動的に引っ込められて戻される。外側針１２０がカテーテル１１０内に引っ込められた後、内側針１３０はカテーテル１１０内に自動的に引っ込められて戻される。本実施形態は、単一のアクチュエータボタンの手動バージョンほど容易また廉価ではなく、同様に、本実施形態は、同様の理由で理想的な解決方法を表さないかもしれない。具体的には、針移動の順序が固定され、医師によって変更されることができないと思われるので、再びこのことは、医師が、針１２０、１３０が所望の位置にないと判定して、プラグ１４０を組織に残すことなく両方の針１２０、１３０を引っ込めて戻すことを妨げると思われる。
【００１９】
図４は、本発明の実施形態による、複針式注射カテーテルを使用して組織内に、例えば心筋層組織部分４００内にプラグを注射する方法のブロック図である。図４では、本方法は、（Ａ）カテーテル遠位端４１２が注射部位４１５に当接するように、カテーテル４１０の遠位端４１２を注射部位４１５、例えば、心筋層組織部分４００の標的組織注射部位に位置決めすることを含む。本方法はまた、（Ｂ）ほぼ同時に又は１つずつ、外側針４２０と、プラグ４４０を有する内側針４３０とを注射部位４１５内に排出することを含む。一般に、外側針４２０は、内側針４３０及びプラグ４４０より先に注射部位４１５に貫入されるが、この理由は、外側針４２０が組織を穿刺するための鋭利な先端を有し、針４３０及びプラグ４４０はそれを有さないからである。具体的には、外側針４２０は、内側針４３０とは別個に又はそれとほぼ同時に、カテーテル４１０から注射部位４１５内に排出される。外側針４２０及び内側針４３０が共に排出される場合、外側針４３０が注射部位４１５を穿刺することを可能にするために、内側針４３０を外側針４３０内に引っ込めてもよい。更に本方法は、（Ｃ）内側針４３０及びプラグ４４０を注射部位４１５に残しつつ、外側針４２０を注射部位４１５からカテーテル４１０内に引っ込めて戻すことを含む。なお更に本方法は、（Ｄ）プラグ４４０を注射部位４１５に残しつつ、内側針４３０を注射部位４１５からカテーテル４１０及び外側針４２０内に引っ込めて戻すことを含む。最後に、本方法は、（Ｅ）プラグ４４０が注射部位４１５に埋め込まれた状態で注射部位４１５からカテーテル４１０を取り除くことを含む。
【００２０】
図５は、本発明の他の実施形態による、図３の複針式注射カテーテルの代替実施形態の使用を示す、組織内にプラグを注射する代替的方法の部分のブロック断面図である。具体的には、図５では、複針式注射カテーテルシステム５００の代替実施形態は、カテーテル５１０と、カテーテル５１０内に配置された外側針５２０と、外側針５２０内に配置された内側針５３０と、内側針５３０の遠位端５３２に取り付けられかつ遠位端５３２をほぼ覆うプラグ５４０とを含む。カテーテル５１０は、カテーテル近位端５１１及びカテーテル遠位端５１２と、カテーテル近位端５１１とカテーテル遠位端５１２との間に延びる管腔５１３とを有し、この管腔を通して外側針５２０、内側針５３０及びプラグ５４０が移動する。外側針５２０は、外側針近位端５２１及び外側針遠位端５２２と、外側針近位端５２１と外側針遠位端５２２との間に延在する外側針管腔５２３とを有し、この管腔を通して内側針５３０及びプラグ５４０が移動する。外側針遠位端５２２は、標的組織部位を穿刺して、標的組織部位内への内側針５３０及びプラグ５４０の注射を可能にするための鋭利な円形先端５２４を有する。具体的には、先端５２４は、外側針遠位端５２２に取り付けられて、遠位になるほど内側に曲がって開口部５２８を形成する円錐状壁部５２６によって形成された対称的テーパ部分を含む。開口部５２８はリム５２９を含み、前記リム５２９は組織内を切断して貫入するための遠位方向に面する切断エッジを有する。
【００２１】
同様に、図５では、内側針５３０はまた、内側針近位端５３１と内側針遠位端５３２とを有することが可能であり、この場合、内側針５３０がプラグ５４０から標的組織部位内に突き出て、もしかして患者を傷つけること及び／又は標的組織部位におけるプラグ５４０の残置を困難にすることを防止するために、内側針遠位端５３２は丸く及び／又は鈍角にされる。内側針５３０はまた、体温にさらされたとき収縮する形状記憶材料を含んでもよい。形状記憶材料の収縮の結果、内側針５３０はプラグ５４０から分離し、したがって内側針５３０の取り除きを容易にする。内側針５３０はまた、内側針５３０の遠位端５３２と軸方向に整列されかつ前記遠位端の周りにまた近くに滑動可能に位置決めされた開口部５５１を有するディスク５５０を有している。一般に、ディスク５５０は、プラグ５４０の近位端に接近して内側針５３０に位置決めされ、またディスク５５０は、外側針５２０の内径よりも小さいが、先端５２４の開口部５２８の内径よりも大きな外径を有している。ディスク５５０は、部分的に圧縮可能な半剛性の材料から製造されてよい。
【００２２】
一般に、図５では、外側針５２０の外側針管腔の直径は、プラグ５４０が内側針５３０の遠位端５３２を覆っているときに、内側針５３０、プラグ５４０及びディスク５５０が外側針５２０の内側管腔を通って移動することを可能にするために、内側針５３０の外径よりも相当大きい。一般に、外側針５２０の外側針管腔とプラグ５４０の外面５４２との間の距離は、異なる寸法及び粘着性のプラグ５４０を受け入れるために変更する必要があるかもしれない。しかし、内側針５３０の周りに滑動可能に位置決めされるディスク５５０によって実現される利点は、ディスク５５０が、外側針内側管腔５１３を通して内側針５３０を案内するのを補助できることであり、これにより、プラグ５４０の損傷又は内側針５３０からの落下を防止できる。この結果、内側針５３０は、容易に外側針５２０内に挿入されまたそれから取り除かれ、これは、カテーテル５１０が患者の身体に挿入された後に、内側針５３０を外側針５２０内に挿入することを可能にする。実際に、外側針５２０が標的組織部位内に排出された後に内側針５３０を外側針５２０内に挿入し、次いでプラグを標的組織部位に送達した後に外側針５２０から取り除くことが可能である。残念ながら、新しい内側針のみが導入される図４の場合と異なり、図５の実施形態では、ディスク５５０が先端５２８に有するストッパ効果のため、新しい外側針及び内側針５２０、５３０の両方を導入する必要があるであろう（以下の説明参照）。これは、カテーテル５１０を取り除く必要なしに新しい外側針及び内側針５２０、５３０に付着した追加プラグ５４０を標的組織部位内に導入する、患者の身体内のカテーテル５１０の再配置を可能にする。
【００２３】
図５では、プラグ５４０は、組織内に注射されると活性化され、かつ組織に対して膨張及び／又は拡張するロウ・プロファイルを有している。プラグ５４０の膨張及び／又は拡張は、内側針５３０が外側針５２０内に引っ込められて戻される間に、プラグ５４０を組織内に保持することを助ける。代わりに、プラグ５４０は、内側針５３０がプラグ５４０から外側針５２０内に引っ込められて戻されるとき、プラグ５４０が組織内に留まるように、内側針５３０に対してよりも組織に対してより高い親和性を有してもよい。更にディスク５５０は、内側針５３０がディスク５５０を通って引っ込められて戻されるとき、プラグ５４０を押して内側針５３０から外すためのスクレーパとして機能する。
【００２４】
本発明の他の実施形態によれば、図５のカテーテル５１０は、複数のプラグの送達を可能にするため、内側針５３０、プラグ５４０及びディスク５５０が結び付けられた複数の外側針５２０を含む。複数のプラグは、使用される適用可能な治療処方に従って医師によって決定されたとき、ほぼ同時に又は連続して送達される。
【００２５】
本発明の他の実施形態によれば、図５の内側針５３０はまた、内側針近位端と内側針遠位端５３２との間に延びて流体が通過移動可能な内側針管腔５３５と、流体を排出するために内側針遠位端５３２によって形成された内側針開口部（図示せず）とを有してもよい。内側針開口部は、例えば、治療薬、薬物等の流体のプラグ５４０内への注射を、組織内へのプラグ５４０の移植注射の前または後に可能にする。
【００２６】
代わりに、図５において、内側針５３０が中空であるが両端で閉じている場合、内側針管腔５３５は存在するがアクセス可能ではない。しかし、内側針５３０が中実である場合、内側針管腔５３５は存在しない。例えば、内側針５３０から排出される流体は、治療薬、細胞治療薬、架橋剤、プラグが２成分系の第１の成分を含む場合に生体内で固体プラグを創出するための２成分系の第２の成分、遺伝子治療薬、薬物、タンパク質、及び細胞外基質を含んでいる。一般に、また内側針遠位端５３２に開口部があるかどうかに関係なく、内側針遠位端５３２は、内側針５３０がプラグ５４０を通して標的組織部位内に突き出て、もしかして患者を傷つけ、また標的組織部位におけるプラグ５４０の残置を困難にすることを防止するために、丸くなった端部を有する。
【００２７】
図５では、説明を容易にするため示していないが、以下に説明する位置決め及び取り除き方法の要素は、図４の位置決め（Ａ）及び取り除き（Ｅ）の方法の要素と同一である。具体的には図４と同様に、図５では本方法は、（Ａ）カテーテル遠位端５１２が注射部位５１５に当接するように、カテーテル５１０の遠位端５１２を注射部位５１５、例えば、心筋層組織部分５００の標的組織注射部位に位決めすること（図示しないが、図４の（Ａ）と同じ）を含む。本方法はまた、（Ｂ’）内側針５２０の遠位端と軸方向に整列されかつ前記遠位端の近くで内側針５２０を囲むディスク５５０にして、内側針遠位端５３２に配置されたプラグ５４０のほぼ直近にあるディスク５５０を有する内側針５３０及び外側針５２０をほぼ同時に又は１つずつ注射部位５１５内に排出することを含む。一般に、外側針５２０は、内側針５３０及びプラグ５４０より先に注射部位５１５に貫入されるが、この理由は、外側針５２０が組織を穿刺するための鋭利な先端を有し、針５３０及びプラグ５４０はそれを有さないからである。具体的には、外側針５２０は、内側針５３０とは別個に又はそれとほぼ同時に、カテーテル５１０から注射部位５１５内に排出される。外側針５２０及び内側針５３０が共に排出される場合、外側針５２０が注射部位５１５を穿刺することを可能にするために、内側針５３０は外側針５２０内に引っ込められている。更に本方法は、（Ｃ）内側針５３０及びプラグ５４０を注射部位５１５に残しつつ、外側針５２０を注射部位５１５からカテーテル５１０内に引っ込めて戻すことを含む。同様に、これは、開口部５２９にちょうど近接する先端５２４の壁部５２６の内面にディスク５５０が係止することを引き起こす。なお更に本方法は、（Ｄ’）プラグ５４０を注射部位５１５に残しつつ、内側針５３０を注射部位５１５からディスク５５０を通してカテーテル５１０及び外側針５２０内に引っ込めて戻すことを含む。ディスク５５０は、ディスク５５０と内側針５３０との間におけるよりもディスク５５０と先端５２４との間のより大きな親和力のため、先端５２４に係止されたままである。最後に本方法は、プラグ５４０が注射部位５１５に埋め込まれた状態で注射部位５１５からカテーテル５１０を取り除くこと（図示しないが、図４の（Ｅ）と同一）を含む。
【００２８】
図６は、本発明の他の実施形態による、感知電極を有するカテーテルの遠位端の前端面図である。図６では、センサ６００は、第１の電極６１０と第２の電極６２０とそれらの間の絶縁体６３０とを含んで、略長円形状を形成している。更に開口部６４０がセンサ６００に配置され、また開口部６４０は、略長円形状であって、該開口部６４０を通して１本以上の針６５０の導入を可能にする。例えば、図６に示した本発明の実施形態では、開口部６４０はセンサ６００の中心と軸方向にほぼ整列されており、複数例えば３本の針６５０を収容している。しかし、３本よりも少ない並びに３本よりも多い針が使用可能な代替実施形態が考えられる。針の数に関係なく、本発明の実施形態によれば、これと全ての複数の管腔、例えば、有針及び／又は無針の設計は、注射時に２つ以上の治療薬を重合させるために使用され得る。このことは、治療薬の各々が組織に注射及び／又は送達されるまで、治療薬の各々の混合を防止することによって達成される。無針の実施形態では、治療薬は標的組織に送達されるが、その中に注射されない。例えば円形及び／又は正方形を含む代わりの形状が考えられる。
【００２９】
図７は、本発明の更に他の実施形態による、感知電極を有するカテーテルの代わりの遠位端構造の前端面図である。図７では、センサ７００は、絶縁体７３０によって分離され、略円形の形状を形成するためにおそらくは一体に固定された第１の電極７１０と第２の電極７２０とを含む。更に開口部７４０は、センサ７００の中心と軸方向にほぼ整列して配置され、また略円形の形状であり、また絶縁体７３０でほぼ充填されており、この絶縁体７３０には１つ以上の開口部７４２が配置されて、前記１つ以上の開口部７４２を通して１本以上の針（図示せず）の導入が可能にされる。絶縁体７３０は、１つ以上の開口部７４２を通過する針を絶縁するのみでなく、針に１つ以上の案内及び追加の安定性を提供する。例えば、図７に示した本発明の実施形態では、センサ６００は４本までの針を収容できる。しかし、４つよりも少ない並びに４つよりも多い開口部がセンサに配置される他の実施形態が考えられる。例えば長円及び／又は正方形を含む代わりの形状が考えられる。
【００３０】
図８は、本発明の更に他の実施形態による、感知電極を有するカテーテルの代わりの遠位端構造の前端面図である。図８では、センサ８００は単一の電極８１０を含み、絶縁体８３０は単一の電極８１０の開口部８４０に配置される。単一の電極８１０は略円形の形状であり、また開口部８４０も略円形の形状であり、単一の電極８１０の中心と軸方向にほぼ整列して配置される。更に絶縁体８３０は１つ以上の開口部８４２を含み、前記１つ以上の開口部８４２を通して１本以上の針（図示せず）の導入を可能にする。絶縁体８３０は、１つ以上の開口部８４２を通過する針を絶縁するのみでなく、針に１つ以上の案内及び追加の安定性を提供することもできる。例えば、図８に示した本発明の実施形態では、センサ８００は４本までの針及び／又は微小針を収容できる。しかし、４つよりも少ない並びに４つよりも多い開口部がセンサに配置される代替実施形態が考えられる。例えば長円及び／又は円形を含む代わりの形状が考えられる。
【００３１】
図９は、本発明の更に他の実施形態による、感知電極を有するカテーテルの代わりの遠位端構造の前端面図である。図９では、センサ９００は、略正方形の形状を形成するために、絶縁体９３０によって一体に固定される第１の電極９１０と第２の電極９２０とを含む。更にセンサ９００の開口部９４０は略正方形の形状であり、開口部９４０を通して１本以上の針の導入を可能にする。例えば、図９に示した本発明の実施形態では、４本の針９５０が示されている。しかし、４本よりも少ない並びに４本よりも多い針が使用される代替実施形態が考えられる。本発明の他の実施形態では、センサ９００は、患者の身体内へのまたそこからのより容易な移動を可能にするために、丸い隅部及び／又は縁部を有する略正方形の形状を含む。例えば長円及び／又は正方形を含む代わりの形状が考えられる。
【００３２】
図１０は、本発明の他の実施形態による、感知電極を有するカテーテルの代わりの遠位端構造の前端面図である。図１０では、センサ１０００は、第１の電極１０１０と第２の電極１０２０とを含み、前記第１の電極１０１０と第２の電極１０２０はそれらの間に走る絶縁体１０３０によって分離され、略長円の形状を形成するためにおそらくは一体に固定されている。更に１つ以上の開口部１０４０が第１の電極１０１０及び／又は第２の電極１０２０に配置されて、１つ以上の開口部１０４０を通る１本以上の針の導入を可能にする。本実施形態では、絶縁体１０３０は、第１の電極１０１０と第２の電極１０２０のみを互いに絶縁する。１つ以上の開口部１０４０を通過する任意の針は、非導電性であるか、あるいは代わりに１つ以上の開口部１０４０の各々を形成する内壁に又は針に付着する絶縁被覆によって、第１及び／又は第２の電極１０１０、１０２０から更に絶縁されてよい。１つ以上の開口部１０４０はまた、１つ以上の開口部１０４０を通過する任意の針に対して追加の安定性を提供することもある。例えば、図１０に示した本発明の実施形態では、センサ１０００は４本までの針を収容できる。しかし、４つよりも少ない並びに４つよりも多い開口部をセンサに配置する他の実施形態が考えられる。本発明の他の実施形態では、１つ以上の開口部１０４０は、絶縁体１０３０に配置され、及び／又は電極１０１０、１０２０及び絶縁体１０３０における１つ以上の開口部１０４０の任意の組み合わせである。例えば円形、長円及び／又は正方形を含む代わりの形状が考えられる。
【００３３】
図１１は、本発明の実施形態による、複針式カテーテルベースでプラグの注射を実行するための方法のフローチャートである。図１１では、本方法は、遠位端と、近位端と、それらの間に延びる少なくとも１つの管腔とを有する複針式カテーテルを準備すること（１１１０）を含む。本方法はまた、複針式カテーテルの遠位端を患者の身体内の標的部位に接触させること（１１２０）を含む。更に本方法は、カテーテルが正しい所望の標的組織部位に配置されているかどうかを判定すること（１１３０）を含む。カテーテルが正しい標的組織部位に配置されていないと判定された（１１３０）場合、本方法はループバックして、複針式カテーテルの遠位端を患者の身体内の新しい標的部位に接触させ（１１２０）、上述のように継続する。しかし、カテーテルが正しい標的組織部位に配置されていると判定された（１１３０）場合、本方法は、外側針及び内側針を、内側針の遠位端を囲むプラグと共に、カテーテルから排出して、外側針及び内側針とプラグとを標的組織部位内に注射する（１１４０）。本方法は、内側針とプラグとを標的組織部位内に埋め込んだまま、外側針を標的組織部位からカテーテル内に引っ込めて戻す（１１５０）ことを含む。更に本方法は、プラグを標的組織部位内に埋め込んだまま、内側針を標的組織部位からカテーテル及び外側針内に引っ込めて戻す（１１６０）ことを含む。なお更に本方法は、カテーテルを標的組織部位から取り除くこと（１１７０）を含み、本方法は終了する。
【００３４】
センサが装備された若しくはセンサなしの又は撓み可能な先端を有する若しくは有さないカテーテルを使用して実行される図１１の方法の実施形態が考えられる。本発明の実施形態に使用可能なカテーテル組立体の実施形態の詳細な説明は、２０００年８月８日に同一の譲受人によって出願された表題「カテーテルシャフト組立体」の同時係属中の米国特許出願第０９／６３５０８３号に確認することができ、前記特許出願はその全体で引用することにより本出願に援用される。本発明の実施形態に使用可能なセンサガイドカテーテル組立体の実施形態の詳細な説明は、２００４年３月２５日に同一の譲受人によって出願された表題「センサチップを有するカテーテル及びその使用方法」の同時係属中の米国特許出願第６０／５５６０５９号（代理人整理番号第１２０１３／４９８０１号）に確認することができ、前記特許出願はその全体で引用することにより本出願に援用される。撓み可能先端カテーテル及び制御装置の操作のより詳細な説明は、２０００年７月４日に交付された表題「心臓組織を切除するための撓み可能なカテーテル」の米国特許第６０８３２２２号に確認することができ、前記特許出願はその全体で引用することにより本出願に援用される。
【００３５】
図１２は、本発明の実施形態による、センサガイドカテーテルを使用する複針式カテーテルベースでプラグの注射を実行するための方法のフローチャートである。図１２では、本方法は、複数の針、及び遠位端と近位端とそれらの間に延びる少なくとも１つの管腔とを有するセンサガイドカテーテルを準備すること（１２１０）を含む。本方法はまた、カテーテル遠位端に配置されたセンサを準備すること（１２２０）を含み、前記センサは少なくとも１つの電極を含み、前記電極は、カテーテル遠位端が標的部位に配置されたとき該電極が標的部位と接触するように、カテーテル遠位端に配置される。センサはまた、少なくとも２つの電極と、少なくとも２つの電極を互いに電気絶縁するために１つの絶縁体を含む。針は、少なくとも１つの電極から電気絶縁されている。本方法は、少なくとも１つのセンサ導線を準備すること（１２３０）を含み、各少なくとも１つのセンサ導線の遠位端は対応するセンサと電気的に連通しており、また各少なくとも１つのセンサ導線の近位端はカテーテル近位端に延びる。本方法はまた、少なくとも１つの電極からの電気信号を監視するために、少なくとも１つのセンサ導線の１つ又は複数の近位端と電気的に連通しているセンサモニタを準備すること（１２４０）を含む。更に、本方法は、カテーテルの遠位端を患者の身体内の標的部位に接触させること（１２５０）を含む。なお更に、本方法は、１つ又は複数の電極によって検出された電気信号を監視して（１２６０）、１つ又は複数の電極によって検出された電気信号が所定の注射基準を満足するかどうかを判定すること（１２７０）を含む。本方法は、電気信号が所定の注射基準を満足しないと判定された（１２７０）場合、電気信号の監視（１２６０）を継続する。しかし、電気信号が所定の注射基準を満足すると判定された（１２７０）場合、本方法は、外側針及び内側針を、内側針の遠位端を囲むプラグと共に、カテーテルから排出して、外側針及び内側針とプラグとを標的組織部位内に注射する（１２８０）。本方法は、内側針とプラグとを標的組織部位内に埋め込んだまま、外側針を標的組織部位からカテーテル内に引っ込めて戻す（１２８２）ことを含む。更に本方法は、プラグを標的組織部位内に埋め込んだまま、内側針を標的組織部位からカテーテル及び外側針内に引っ込めて戻す（１２８４）ことを含む。なお更に本方法は、カテーテルを標的組織部位から取り除くこと（１２８６）を含み、本方法は終了する。
【００３６】
本明細書に使用されているような「治療薬」という用語は、１つ以上の「治療薬」又は「薬物」を含む。「治療薬」及び「薬物」という用語は、本明細書で交換可能に使用され、薬学的に活性の化合物、脂質のような担体ベクタを含むか又は含まない核酸、緊密化剤（例えばヒストン）、ウイルス（例えばアデノウイルス、アンデノ関連のウイルス、レトロウイルス、レンチウイルス及びαウイルス）、ポリマ、ヒアルロン酸、タンパク質、細胞等を含み、ターゲッティング配列を有するか又は有さない。
【００３７】
本発明と関連して使用される治療剤の特定の例は、例えば、薬学的に活性の化合物、タンパク質、細胞、オリゴヌクレオチド、リボザイム、アンチセンスオリゴヌクレオチド、ＤＮＡ緊密化剤、遺伝子／ベクタ系（すなわち、核酸の取り込み及び発現を可能にするビヒクル）、核酸（例えば、遺伝子組換え型核酸；裸のＤＮＡ、ｃＤＮＡ、ＲＮＡ；結合ペプチドターゲッティング配列を更に有する、非感染性ベクタ又はウイルスベクタにおけるゲノムＤＮＡ、ｃＤＮＡ、ＲＮＡ；アンチセンス核酸（ＲＮＡ又はＤＮＡ）；及び遺伝子配列を含み、膜トランスロケーション配列（「ＭＴＳ」）及び単純ヘルペス１型ウイルス（「ＶＰ２２」）のような輸送蛋白質をエンコードするＤＮＡキメラを含む）、所望の適用に応じていくつかの型から選択されるウイルス性のリポソーム及びカチオン及びアニオンポリマと中性ポリマを含む。ウイルスベクタ又はウイルス源から誘導されるベクタの非限定的な例は、アデノウイルスベクタ、単純ヘルペスベクタ、パピローマベクタ、アデノ随伴ベクタ、レトロウイルスベクタ等を含んでいる。生物学的に活性の溶質の非限定的な例は、ヘパリン、ヘパリン誘導体、ウロキナーゼ、及びＰＰＡＣＫ（デキストロフェニルアラニンプロリンアルギニンクロロメチルケトン）のようなアンチトロンボゲン剤；プロブコール及びレチン酸のような抗酸化薬；血管新生及び抗血管新生物質と因子；エノキサプリン、アンギオペプチン、ラパマイシン、平滑筋細胞の増殖を遮断できるモノクローナル抗体、ヒルジン、及びアセチルサリチル酸のような抗増殖性物質；デキサメタゾン、プレドニゾロン、コルチコステロン、ブデゾニド、エストロゲン、スルファサラジン、アセチルサリチル酸、及びメサラミンのような抗炎症薬；ベラパミル、ジルチアゼム及びニフェジピンのようなカルシウム侵入遮断薬；パクリタキセル、５−フルオロウラシル、メトトレキセート、ドキソルビシン、ダウノルビシン、シクロスポリン、シスプラチン、ビンブラスチン、ビンクリスチン、エポチロン、エンドスタチン、アンギオスタチン及びチミジンウロキナーゼ阻害因子のような抗腫瘍／抗増殖／抗有糸分裂薬剤；トリクロサン、セファロスポリン、アミノグリコシド、及びニトロフラントインのような抗菌剤；リドカイン、ブピバカイン、及びロピバカインのような麻酔薬；リシドミン、モルシドミン、Ｌ−アルギニン、ＮＯ−蛋白質付加物、ＮＯ−炭水化物付加物、ポリマ又はオリゴマＮＯ付加物のような酸化窒素（ＮＯ）供与体；Ｄ−Ｐｈｅ−Ｐｒｏ−Ａｒｇクロロメチルケトン、ＲＧＤペプチド含有化合物、ヘパリン、抗トロンビン性化合物、血小板レセプタ拮抗物質、抗トロンビン性抗体、抗血小板レセプタ抗体、エノキサパリン、ヒルジン、ワルファリンナトリウム、ジクマロール、アスピリン、プロスタグランジン阻害因子、血小板阻害因子及びダニ抗血小板因子のような抗凝固薬；成長因子、成長因子レセプタ拮抗物質、転写活性化因子、及び翻訳プロモータのような血管細胞成長プロモータ；成長因子阻害因子、成長因子レセプタ拮抗物質、転写リプレッサ、翻訳リプレッサ、複製阻害因子、阻害性抗体、成長因子に対する抗体、成長因子と細胞毒から成る二元機能性分子、抗体と細胞毒から成る二元機能性分子のような血管細胞成長阻害因子；コレステロール低下剤；血管拡張薬；内因性血管作用性機序に干渉する物質；抗アポトーシス性Ｂｃｌ−２族因子及びＡｋｔキナーゼのような細胞死を防止する生存遺伝子；及びそれらの組合せを含む。細胞は、ヒト由来（自己又は同種異系）のものでもよいか、あるいは対象とする蛋白質を移植部位に送達するために望むなら遺伝的に構築される動物ソースからのものでもよい。任意の修正が当業者によって日常的に行われる。
【００３８】
本発明の実施に有用なポリヌクレオチド配列は、細胞によって取り込まれた後に治療作用を有するＤＮＡ又はＲＮＡ配列を含む。治療性ポリヌクレオチドの例は、アンチセンスＤＮ及びＲＮＡ；アンチセンスＲＮＡをコードするＤＮＡ；あるいは欠陥又は欠損内因性分子を置換するためのｔＲＮＡ又はｒＲＮＡをコードするＤＮＡを含む。ポリヌクレオチドはまた、治療性蛋白質又はポリペプチドをコードすることが可能である。ポリペプチドは、大きさに関わらず、またグリコシル化されているか否かに関わらず、任意のポリヌクレオチドの翻訳産物と理解される。治療性蛋白質及びポリペプチドは、主要な例として、動物における欠陥種又は欠損種を代償できる蛋白質又はポリペプチド、あるいは毒性作用を通して体内から有害細胞を制限するか又は除去するように作用する蛋白質又はポリペプチドを含む。更に、注射できるポリペプチド又は蛋白質、あるいはそのＤＮＡを組み込むことができるポリペプチド又は蛋白質は、限定なしに、酸性及び塩基性線維芽細胞成長因子、血管内皮成長因子、ｈｉｆ−１、表皮成長因子、形質転換成長因子α及びβ、血小板誘導内皮成長因子、血小板誘導成長因子、腫瘍壊死因子α、肝細胞成長因子及びインスリンのような成長因子を含む血管新生を誘発する能力を有する血管新生因子及び他の分子；成長因子；ＣＤＫ阻害因子を含む細胞周期阻害因子；ｐ１５、ｐ１６、ｐ１８、ｐ１９、ｐ２１、ｐ２７、ｐ５３、ｐ５７、Ｒｂ、ｎＦｋＢ及びＥ２Ｆデコイを含む抗再狭窄剤、チミジンキナーゼ（「ＴＫ」）及びそれらの組合せ、並びに悪性疾患を治療するための薬剤を含む細胞増殖に干渉するために有用な他の薬剤；及びそれらの組合せを含む。ポリペプチドとして又はこれらのポリペプチドをコードするＤＮＡとして提供可能な更に他の有用な因子は、単核細胞化学誘引性蛋白質（「ＭＣＰ−１」）、及び骨形態発生蛋白質（「ＢＭＰ」）の族を含む。公知の蛋白質は、ＢＭＰ−２、ＢＭＰ−３、ＢＭＰ−４、ＢＭＰ−５、ＢＭＰ−６（Ｖｇｒ−１）、ＢＭＰ−７（ＯＰ−１）、ＢＭＰ−８、ＢＭＰ−９、ＢＭＰ−１０、ＢＭＰ−１１、ＢＭＰ−１２、ＢＭＰ−１３、ＢＭＰ−１４、ＢＭＰ−１５、及びＢＭＰ−１６を含む。現在好ましいＢＭＰは、ＢＭＰ−２、ＢＭＰ−３、ＢＭＰ−４、ＢＭＰ−５、ＢＭＰ−６及びＢＭＰ−７のどれでもである。これらのダイマ蛋白質は、単独で又は他の分子と共に、ホモダイマ、ヘテロダイマ、又はそれらの組合せとして提供され得る。代わりに、又は追加して、ＢＭＰの上流又は下流作用を誘発できる分子を用意してもよい。このような分子は、「ヘッジホッグ」蛋白質、又はそれらをコードするＤＮＡの任意のものを含んでよい。
【００３９】
本発明について詳細に開示してきたが、様々な変更、置換、及び改変を本明細書で行うことができ、本発明は、様々な修正及び等価の装置を網羅するように意図されることが理解されるべきである。他の実施例が、当業者によって上記の説明から容易に確認可能であり、また次の特許請求の範囲によって規定されるような本発明の精神と範囲から逸脱することなく行うことができる。
【図面の簡単な説明】
【００４０】
【図１】本発明の実施形態によるカテーテルの遠位端の部分側面断面図である。
【図２】本発明の実施形態による、囲み枠Ａによって示されるような図１のカテーテルの遠位端の拡大側面断面図である。
【図３】本発明の実施形態による、複針式注射カテーテルを使用して組織内にプラグを注射する方法のブロック図である。
【図４】本発明の実施形態による複針式注射カテーテル用のアクチュエータのブロック図である。
【図５】本発明の他の実施形態による、図３の複針式注射カテーテルを使用して組織内にプラグを注射する方法の代わりの部分のブロック断面図である。
【図６】本発明の更に他の実施形態による、感知電極を有するカテーテルの遠位端の前端面図である。
【図７】本発明の更に他の実施形態による、感知電極を有するカテーテルの代わりの遠位端構造の前端面図である。
【図８】本発明の更に他の実施形態による、感知電極を有するカテーテルの代わりの遠位端構造の前端面図である。
【図９】本発明の更に他の実施形態による、感知電極を有するカテーテルの代わりの遠位端構造の前端面図である。
【図１０】本発明の更に他の実施形態による、感知電極を有するカテーテルの代わりの遠位端構造の前端面図である。
【図１１】本発明の実施形態による、複針式カテーテルベースで標的組織部位内にプラグの注射を実行するための方法のフローチャートである。
【図１】
2008528176.tif 000003
【図２】
2008528176.tif 000004
【図３】
2008528176.tif 000005
【図４】
2008528176.tif 000006
【図５】
2008528176.tif 000007
【図６】
2008528176.tif 000008
【図７】
2008528176.tif 000009
【図８】
2008528176.tif 000010
【図９】
2008528176.tif 000011
【図１０】
2008528176.tif 000012
【図１１】
2008528176.tif 000013
【図１２】
2008528176.tif 000014
【国際調査報告】
2008528176.tif 000015
2008528176.tif 000016